(57)【特許請求の範囲】
【請求項１】
ユーザによって直接操作される操作部(１１)を有する室内機(１)と、
上記室内機(１)のアドレスを指定するための指定部(２１)と、この指定部(２１)で指定された目標アドレスを示すアドレス変更信号を上記室内機(１)に送信するリモコン側送信部(２３)と、リモコン側受信部(２４)とを有するリモコン(２)と
を備え、
上記室内機(１)は、
上記操作部(１１)がユーザによって直接操作されたとき、アドレス変更モードになる室内機側制御部(１２)と、
上記リモコン(２)から上記アドレス変更信号を受信する室内機側受信部(１４)と、
上記室内機側制御部(１２)が上記アドレス変更モードになっているとき、上記室内機側受信部(１４)が上記リモコン(２)から上記アドレス変更信号を受信すると、上記室内機(１)のアドレスを上記目標アドレスに変更する室内機側アドレス変更部(１２ａ)と、
上記室内機(１)のアドレスを上記目標アドレスに変更したとき、上記室内機(１)のアドレスを変更したことを示すアドレス確定信号を上記リモコン(２)に送信する室内機側送信部(１３)と
を有し、
上記リモコン(２)は、
上記室内機(１)へ上記アドレス変更信号を送信した後、上記リモコン側受信部(２４)が上記室内機(１)から上記アドレス確定信号を受信したとき、上記リモコン(２)のアドレスを上記目標アドレスに変更するリモコン側アドレス変更部(２２ａ)
を有することを特徴とする空気調和機。
【請求項２】
請求項１に記載の空気調和機において、
上記室内機側制御部(１２)は、
上記リモコン(２)から待機指示信号を受信したとき、上記アドレス変更モードへ移行可能な待機モードになり、
上記待機モードのとき、上記操作部(１１)が操作されると、上記アドレス変更モードになる一方、上記待機モードでないとき、上記操作部(１１)が操作されても、上記アドレス変更モードにならないことを特徴とする空気調和機。
【請求項３】
請求項２に記載の空気調和機において、
上記室内機(１)は、上記待機モードおよびアドレス変更モードのときに点滅する発光部(１５)を有し、
上記待機モードのときの発光部(１５)の点滅パターンは、上記アドレス変更モードのときの発光部(１５)の点滅パターンと異なることを特徴とする空気調和機。
【請求項４】
請求項２に記載の空気調和機において、
上記室内機(１)は、
上記待機モードのときに発光する一方、上記アドレス変更モードのときに発光しない第１発光部(１７)と、
上記待機モードのときに発光しない一方、上記アドレス変更モードのときに発光する第２発光部(１８)と
を有することを特徴とする空気調和機。
【請求項５】
請求項１から４までのいずれか一項に記載の空気調和機において、
上記リモコン(２)は、上記アドレス変更信号の送信後、予め設定された時間内に、上記リモコン側受信部(２４)が上記アドレス確定信号を受信しないとき、上記アドレス確定信号の非受信、または、上記リモコン(２)のアドレス変更の失敗を表示する表示部を有することを特徴とする空気調和機。
【発明の詳細な説明】
【技術分野】
【０００１】
この発明は、空気調和機に関する。
【背景技術】
【０００２】
従来、空気調和機としては、室内機と、この室内機と通信を行うリモコンとを備えたものがある(例えば特開２００２−７１１９６号公報(特許文献１)参照)。
【０００３】
上記構成の空気調和機によれば、ユーザは室内機のアドレスを他のアドレスに変更したい場合、リモコンを操作して、上記他のアドレスを示す信号(以下、「アドレス変更信号」と言う。)をリモコンから室内機に送信する。このとき、上記室内機が上記アドレス変更信号を受信すると、室内機のアドレスが上記他のアドレスに変更される。また、上記他のアドレスの送信に伴い、上記リモコンのアドレスも上記他のアドレスに変更される。
【先行技術文献】
【特許文献】
【０００４】
【特許文献１】特開２００２−７１１９６号公報
【発明の概要】
【発明が解決しようとする課題】
【０００５】
ところが、上記従来の空気調和機では、室内機が複数台あると、この複数台のうち、特定の１台のアドレスだけ、上記他のアドレスに変更しようとしても、特定の１台以外のアドレスも変更されてしまうことがある。すなわち、特定の１台の室内機に対してアドレス変更を行うのは困難だという問題があった。
【０００６】
上記問題を解決する方法としては、室内機が上記アドレス変更信号を受信しても、すぐには室内機のアドレスが上記他のアドレスに変更されないようにする方法が考えられる。この方法を用いる場合、室内機が上記アドレス変更信号を受信したとき、室内機の運転ＬＥＤ(発光ダイオード)を所定時間点滅させ、このＬＥＤの点滅中に、室内機の運転スイッチが押下されたときに、室内機のアドレスが上記他のアドレスに変更されるようにする。
【０００７】
しかしながら、上記方法では、例えば、子供の悪戯により、上記アドレス変更信号が室内機に送信されたとき、室内機の運転スイッチは押下されないので、室内機のアドレスは上記他のアドレスに変更されないが、リモコンのアドレスは上記他のアドレスに変更されてしまう。その結果、上記室内機のアドレスはリモコンのアドレスと一致しなくなるため、室内機に冷房運転や暖房運転をリモコンで指示できなくなる。このような事態は、故障だと思われ、クレームの原因になってしまうことがある。
【０００８】
このように、上記方法を用いると、子供の悪戯などにより、室内機のアドレスとリモコンのアドレスが互いに一致しなくなるという問題が新たに生じてしまう。
【０００９】
そこで、この発明の課題は、室内機のアドレスとリモコンのアドレスが互いに不一致になるのを防ぐことができる空気調和機を提供することにある。
【課題を解決するための手段】
【００１０】
上記課題を解決するため、この発明の空気調和機は、
ユーザによって直接操作される操作部を有する室内機と、
上記室内機のアドレスを指定するための指定部と、この指定部で指定された目標アドレスを示すアドレス変更信号を上記室内機に送信するリモコン側送信部と、リモコン側受信部とを有するリモコンと
を備え、
上記室内機は、
上記操作部がユーザによって直接操作されたとき、アドレス変更モードになる室内機側制御部と、
上記リモコンから上記アドレス変更信号を受信する室内機側受信部と、
上記室内機側制御部が上記アドレス変更モードになっているとき、上記室内機側受信部が上記リモコンから上記アドレス変更信号を受信すると、上記室内機のアドレスを上記目標アドレスに変更する室内機側アドレス変更部と、
上記室内機のアドレスを上記目標アドレスに変更したとき、上記室内機のアドレスを変更したことを示すアドレス確定信号を上記リモコンに送信する室内機側送信部と
を有し、
上記リモコンは、
上記室内機へ上記アドレス変更信号を送信した後、上記リモコン側受信部が上記室内機から上記アドレス確定信号を受信したとき、上記リモコンのアドレスを上記目標アドレスに変更するリモコン側アドレス変更部
を有することを特徴としている。
【００１１】
上記構成によれば、例えばユーザが操作部を操作すると、室内機側制御部はアドレス変更モードになる。このとき、上記室内機側受信部がアドレス変更信号を受信すると、室内機のアドレスは、アドレス変更信号に対応する目標アドレスに変更される。
【００１２】
また、上記アドレス変更信号の受信に応じて、室内機側送信部からリモコンにアドレス確定信号が送信される。このとき、上記リモコン側受信部がアドレス確定信号を受信すると、リモコンのアドレスも、アドレス変更信号に対応する目標アドレスに変更される。
【００１３】
したがって、上記室内機のアドレスとリモコンのアドレスを互いに一致させることができる。
【００１４】
また、例えば子供がリモコンをいじって、リモコンから室内機へアドレス変更信号が送信されただけでは、室内機側制御部はアドレス変更モードになっていないので、室内機のアドレスは目標アドレスに変更されない。
【００１５】
したがって、上記室内機のアドレスがリモコンのアドレスと一致しなくなる事態を回避できる。
【００１６】
一実施形態の空気調和機では、
上記室内機側制御部は、
上記リモコンから待機指示信号を受信したとき、上記アドレス変更モードへ移行可能な待機モードになり、
上記待機モードのとき、上記操作部が操作されると、上記アドレス変更モードになる一方、上記待機モードでないとき、上記操作部が操作されても、上記アドレス変更モードにならない。
【００１７】
上記実施形態によれば、上記室内機側制御部が待機モードになっていれば、操作部を操作すると、室内機側制御部をアドレス変更モードにすることができる。一方、上記室内機側制御部が待機モードになっていなければ、操作部を操作しても、室内機側制御部をアドレス変更モードにすることはできない。したがって、上記室内機側制御部が待機モードにしなければ、操作部をモード切り替え以外のためのものとして利用できる。すなわち、上記操作部に他の操作部の役割を兼用させることができる。
【００１８】
一実施形態の空気調和機では、
上記室内機は、上記待機モードおよびアドレス変更モードのときに点滅する発光部を有し、
上記待機モードのときの発光部の点滅パターンは、上記アドレス変更モードのときの発光部の点滅パターンと異なる。
【００１９】
上記実施形態によれば、上記発光部の点滅パターンを見れば、室内機側制御部のモードを容易に把握できる。
【００２０】
一実施形態の空気調和機では、
上記室内機は、
上記待機モードのときに発光する一方、上記アドレス変更モードのときに発光しない第１発光部と、
上記待機モードのときに発光しない一方、上記アドレス変更モードのときに発光する第２発光部と
を有する。
【００２１】
上記実施形態によれば、上記第１発光部と第２発光部のどちらが発光しているかを見れば、室内機側制御部のモードを容易に把握できる。
【００２２】
一実施形態の空気調和機では、
上記リモコンは、上記アドレス変更信号の送信後、予め設定された時間内に、上記リモコン側受信部が上記アドレス確定信号を受信しないとき、上記アドレス確定信号の非受信、または、上記リモコンのアドレス変更の失敗を表示する表示部を有する。
【００２３】
上記実施形態によれば、上記リモコン側受信部がアドレス確定信号受信しないと、リモコンのアドレスは変更されなくて、リモコンのアドレスが室内機のアドレスと一致しなくなるが、例えばユーザは、表示部による表示から、リモコンのアドレスは変更されていないことを知ることができる。したがって、上記リモコンのアドレスが室内機のアドレスと一致しない状態が放置される可能性を下げることができる。
【発明の効果】
【００２４】
以上より明かなように、この発明は、室内機のアドレスとリモコンのアドレスが互いに不一致になるのを防ぐことができる空気調和機を提供することができる。
【図面の簡単な説明】
【００２５】
【図１】この発明の一実施形態の空気調和機の室内機およびリモコンの斜視図である。
【図２】上記実施形態の室内機およびリモコンの構成を説明するためのブロック図である。
【図３Ａ】上記実施形態の室内機およびリモコンのアドレス変更を説明するためのフローチャートである。
【図３Ｂ】図３Ａに続くフローチャートである。
【図４】上記実施形態の空気調和機の一変形例の斜視図である。
【発明を実施するための形態】
【００２６】
以下、この発明の空気調和機を図示の実施の形態により詳細に説明する。
【００２７】
図１は、この発明の一実施形態の空気調和機の室内機１およびリモコン２の斜視図である。
【００２８】
上記空気調和機は、室内の壁面に取り付けられる室内機１と、この室内機１を遠隔するためのリモコン２とを備える。
【００２９】
上記室内機１の前面には、ケーシング１０と、操作部の一例としての運転スイッチ１１と、室内機側受信部の一例としての第１受信部１４と、発光部の一例としての運転ＬＥＤ１５とが設けられている。この第１受信部１４は、例えば、赤外線受光素子を有し、室内機１とリモコン２の間で赤外線通信が行われる。また、第１受信部１４近傍には、運転スイッチ１１および運転ＬＥＤ１５が位置する。この運転スイッチ１１を押下すれば、リモコン２を操作しなくても、室内機１が運転したり、停止したりする。また、運転ＬＥＤ１５は、室内機１の運転中、点灯する。
【００３０】
上記リモコン２の上面には、指定部の一例としての操作ボタン群２１(図２に示す)と、運転の種類や設定温度などを表示する表示部２５とが設けられている。ユーザは操作ボタン群２１を操作することにより、例えば冷房運転や暖房運転の温度や時間を設定できるようになっている。また、操作ボタン群２１の操作により、後述する待機指示信号およびアドレス変更信号を室内機１へ送信することもできるようにもなっている。
【００３１】
図２は、上記室内機１およびリモコン２の構成を説明するためのブロック図である。
【００３２】
上記室内機１は、運転スイッチ１１と、室内機側制御部の一例としての第１制御装置１２と、室内機側送信部の一例としての第１送信部１３と、第１受信部１４とを備えている。
【００３３】
上記第１制御装置１２は、マイクロコンピュータ、入出力回路などで構成されている。この第１制御装置１２は、リモコン２から待機指示信号を受信したとき、アドレス変更モードへ移行可能な待機モードになると共に、待機モードのとき、運転スイッチ１１が押下されると、アドレス変更モードになる。また、第１制御装置１２は、ソフトウェアからなる第１アドレス変更部１２ａを有する。この第１アドレス変更部１２ａは、第１制御装置１２がアドレス変更モードになっているとき、第１受信部１４がリモコン２からアドレス変更信号を受信すると、アドレス変更信号が示す目標アドレスに室内機１のアドレスを変更する。一方、第１アドレス変更部１２ａは、第１制御装置１２がアドレス変更モードになっていないとき、第１受信部１４がリモコン２からアドレス変更信号を受信しても、室内機１のアドレスの変更を行わない。すなわち、第１制御装置１２がアドレス変更モードになっていなければ、室内機１のアドレスの変更は禁止される。なお、第１アドレス変更部１２ａは室内機側アドレス変更部の一例である。
【００３４】
また、上記第１制御装置１２は待機モードおよびアドレス変更モードになったとき、運転ＬＥＤ１５が点滅する。このとき、上記待機モードのときの運転ＬＥＤ１５の点滅パターンは、上記アドレス変更モードのときの運転ＬＥＤ１５の点滅パターンと異なる。例えば、上記第１制御装置１２が待機モードになっているときに比べて、第１制御装置１２がアドレス変更モードになっているときの方が、運転ＬＥＤ１５の点滅間隔が短くなる。
【００３５】
上記第１送信部１３は、例えば赤外線発光素子を有する。この第１送信部１３は、室内機１のアドレスを目標アドレスに変更したとき、室内機１のアドレスを変更したことを示すアドレス確定信号をリモコン２に送信する。
【００３６】
上記第１受信部１４は、リモコン２の第２送信部２３から送信されたアドレス変更信号を受信する。
【００３７】
上記リモコン２は、第２制御装置２２と、リモコン側送信部の一例としての第２送信部２３と、リモコン側受信部の一例としての第２受信部２４とを備えている。
【００３８】
上記第２制御装置２２は、マイクロコンピュータ、入出力回路などで構成されている。また、第２制御装置２２は、ソフトウェアからなる第２アドレス変更部２２ａを有している。この第２アドレス変更部２２ａは、ソフトウェアからなって、第２受信部２４が室内機１からアドレス確定信号を受信したとき、リモコン２のアドレスを目標アドレスに変更する。この目標アドレスは、第２受信部２４が室内機１からアドレス確定信号を受信する前に第２送信部２３が送信したアドレス変更信号が示すアドレスである。なお、第２アドレス変更部２２ａはリモコン側アドレス変更部の一例である。
【００３９】
上記第２送信部２３は、例えば赤外線発光素子を有し、操作ボタン群２１で指定された目標アドレスを示すアドレス変更信号を室内機１に送信する。
【００４０】
上記第２受信部２４は、例えば赤外線受光素子を有し、室内機１のアドレスを変更したことを示すアドレス確定信号を受信する。
【００４１】
上記構成の空気調和機では、例えばユーザが運転スイッチ１１を押下すると、第１制御装置１２はアドレス変更モードになる。このとき、目標アドレスを示すアドレス変更信号が第１受信部１４で受信され
ると、室内機１のアドレスは上記目標アドレスに変更される。
【００４２】
また、上記アドレス変更信号の受信に応じて、アドレス確定信号がリモコン２に送信される。このとき、アドレス確定信号が第２受信部２４で受信されると、リモコン２のアドレスも上記目標アドレスに変更される。
【００４３】
したがって、上記室内機１のアドレスとリモコン２のアドレスを互いに確実に一致させることができる。
【００４４】
また、上記リモコン２の操作ボタン群２１が誤操作されたとき、リモコン２から室内機１へアドレス変更信号が送信されても、第１制御装置１２はアドレス変更モードになっていなければ、室内機１のアドレスは変更されずに維持される。
【００４５】
したがって、上記室内機１のアドレスがリモコン２のアドレスと一致しなくなる事態の発生確率を下げることができる。
【００４６】
また、上記第１制御装置１２が待機モードになっていれば、運転スイッチ１１を押下すると、第１制御装置１２をアドレス変更モードにすることができる。一方、第１制御装置１２が待機モードになっていなければ、運転スイッチ１１を押下しても、第１制御装置１２をアドレス変更モードにすることはできない。したがって、運転スイッチ１１は、長押しなどの特殊な操作をしなくても、第１制御装置１２をアドレス変更モードにするためのスイッチとして使える。
【００４７】
また、上記第１制御装置１２をアドレス変更モードにするためのスイッチとして運転スイッチ１１を使えるので、スイッチ数の増加を防ぐことができ、その結果、室内機１のケーシング１０の良好な美観を維持できる。
【００４８】
また、上記第１制御装置１２が待機モードになっているときの運転ＬＥＤ１５の点滅パターンは、第１制御装置１２がアドレス変更モードになっているときの運転ＬＥＤ１５の点滅パターンと異なる。したがって、運転ＬＥＤ１５の点滅パターンを見れば、第１制御装置１２が待機モードとアドレス変更モードのどちらのモードになっているのかを容易に確認することができる。
【００４９】
また、上記リモコン２の第２受信部２４がアドレス確定信号をしないと、リモコン２のアドレスは変更されないが、ユーザは、リモコン２の表示を見れば、リモコン２のアドレス変更が失敗したことを把握できる。したがって、リモコン２のアドレス変更を再度行うようにユーザに促すことができるので、リモコン２のアドレスが室内機１のアドレスと一致しない状態が放置される可能性を下げることができる。
【００５０】
以下、図３Ａ,図３Ｂのフローチャートを用いて、室内機１およびリモコン２のアドレス変更に関する制御について説明する。なお、室内機１の第１制御装置１２が通常モードになっているときに、上記制御が開始されるものとする。ここで、上記通常モードとは、室内機１およびリモコン２のアドレス変更を行うためのモードを除くモードであって、例えば冷房運転および暖房運転を行うためのモードである。
【００５１】
上記制御がスタートすると、まず、図３Ａに示すように、ステップＳ１で、操作ボタン群２１の操作に応じて、リモコン２の第２送信部２３に待機指示信号を送信させる。
【００５２】
次に、ステップＳ２で、室内機１の第１受信部１４が待機指示信号を受信したか否かを判定する。このステップＳ２で、室内機１の第１受信部１４が待機指示信号を受信したと判定されると、次のステップＳ３に進む。一方、室内機１の第１受信部１４が待機指示信号を受信していないと判定されると、再び、ステップＳ２を行う。
【００５３】
次に、ステップＳ３で、室内機１の第１制御装置１２を通常モードから待機モードに切り替える。これにより、室内機１の第１制御装置１２はアドレス変更モードに移行可能になり、運転ＬＥＤ１５が点滅する。
【００５４】
次に、ステップＳ４で、運転スイッチ１１が押下されたか否かを判定する。このステップＳ４で、運転スイッチ１１が押下されたか否かを判定すると、次のステップＳ５に進む。一方、ステップＳ４で、運転スイッチ１１が押下されていないと判定すると、ステップＳ４１に進む。
【００５５】
上記ステップＳ４からステップＳ４１に進んだ場合、待機指示信号の受信から第１所定時間が経過したか否かを判定する。このステップＳ４１で、待機指示信号の受信から第１所定時間が経過していないと判定すると、ステップＳ４に戻る。一方、ステップＳ４１で、待機指示信号の受信から第１所定時間が経過したと判定されると、ステップＳ５１で、室内機１の第１制御装置１２を待機モードから通常モードに戻した後、ステップＳ２に戻る。
【００５６】
次に、ステップＳ５で、室内機１の第１制御装置１２を待機モードからアドレス変更モードに切り替える。これにより、待機モードのときとは異なる間隔で、運転ＬＥＤ１５が点滅する。
【００５７】
次に、図３Ｂに示すように、ステップＳ６で、操作ボタン群２１の操作に応じて、リモコン２の第２送信部２３にアドレス変更信号を送信させる。
【００５８】
次に、ステップＳ７で、室内機１の第１受信部１４がアドレス変更信号を受信したか否かを判定する。このステップＳ７で、室内機１の第１受信部１４がアドレス変更信号を受信したと判定すると、次のステップＳ８に進む。一方、ステップＳ７で、室内機１の第１受信部１４がアドレス変更信号を受信していないと判定されると、ステップＳ４２に進む。
【００５９】
上記ステップＳ７からステップＳ４２に進んだ場合、運転スイッチ１１の押下から第２所定時間が経過したか否かを判定する。このステップＳ４２で、運転スイッチ１１の押下から第２所定時間が経過していないと判定すると、ステップＳ７に戻る。一方、ステップＳ４２で、運転スイッチ１１の押下から第２所定時間が経過したと判定されると、ステップＳ５２で、室内機１の第１制御装置１２をアドレス変更モードから通常モードに戻した後、図３Ａに示すステップＳ２に戻る。
【００６０】
次に、図３Ｂに示すように、ステップＳ８で、アドレス変更信号に対応する目標アドレスに室内機１のアドレスを変更すると共に、室内機１の第１送信部１３にアドレス確定信号を送信させる。
【００６１】
次に、ステップＳ９で、リモコン２の第２受信部２４がアドレス確定信号を受信したか否かを判定する。このステップＳ９で、リモコン２の第２受信部２４がアドレス確定信号を受信したと判定すると、次のステップＳ１０に進む。一方、リモコン２の第２受信部２４がアドレス確定信号を受信していないと判定すると、ステップＳ４３に進む。
【００６２】
上記ステップＳ９からステップＳ４３に進んだ場合、アドレス変更信号の送信から第３所定時間が経過したか否かを判定する。このステップＳ４３で、アドレス変更信号の送信から第３所定時間が経過していないと判定すると、ステップＳ９に戻る。一方、ステップＳ４３で、アドレス変更信号の送信から第３所定時間が経過したと判定すると、ステップＳ５３で、リモコン２の表示部２５に、アドレス変更の失敗を示す内容を表示させた後、上記制御が終了する。このとき、リモコン２の表示部２５には、例えば、「受信失敗」、「リモコンのアドレス変更だけ失敗」などの文字が表示される。
【００６３】
最後に、ステップＳ８で、アドレス変更信号に対応する目標アドレスにリモコン２のアドレスを変更すると共に、リモコン２の表示部２５に、アドレス変更の成功を示す内容を表示させる。
【００６４】
上記実施形態では、第１制御装置１２は、待機モード以外のモードのときに運転スイッチ１１を押下しても、アドレス変更モードにならなかったが、アドレス変更モードになるようにしてもよい。このようにする場合、ユーザは、待機指示信号の送信ための操作を操作ボタン群２１にしなくて済む。
【００６５】
上記実施形態では、第１制御装置１２が待機モードとアドレス変更モードのどちらのモードになっているのかは、運転ＬＥＤ１５の点滅パターンに基づいて確認できるようにしていたが、図４に示すように、ケーシング１０の前面に、第１発光部の一例としての第１ＬＥＤ１７と、第２発光部の一例としての第２ＬＥＤ１８とを設け、この第１,第２ＬＥＤ１７,１８の発光に基づいて確認できるようにしてもよい。このようにする場合、例えば、第１制御装置１２が待機モードになっているときには、第１,第２ＬＥＤ１７,１８のうち、第１ＬＥＤ１７だけが発光するようにする一方、第１制御装置１２がアドレス変更モードになっているときには、第１,第２ＬＥＤ１７,１８のうち、第２ＬＥＤ１８だけが発光するようにしてもよい。
【００６６】
上記実施形態では、第１,第２アドレス変更部１２ａ,２２ａは、それぞれ、ソフトウェアで構成されていたが、少なくとも一方がハードウェアで構成されるようにしてもよい。
【００６７】
上記実施形態では、室内機１は１台であったが、２台以上にしてもよい。このようにする場合、特定の１台の室内機に対してアドレス変更するのは容易である。
【００６８】
上記実施形態において、第１〜第３所定時間は、全て同じにしてもよいし、２つだけ同じ時間にし、かつ、残りの１つは他の時間にしてもよいし、互いに異なるようにしてもよい。例えば、第１〜第３所定時間のうちの少なくとも１つを６０秒に設定してもよい。
【００６９】
この発明の具体的な実施形態について説明したが、この発明は上記実施形態に限定されるものではなく、この発明の範囲内で種々変更して実施することができる。例えば、この発明は、リモンコンと、このリモコンと通信する空気清浄機本体とを備える空気清浄機に適用してもよい。このようにする場合、空気清浄機本体が室内機の一例となる。
【符号の説明】
【００７０】
１  室内機
２  リモコン
１０  ケーシング
１１  運転スイッチ
１２  第１制御装置
１２ａ  第１アドレス変更部
１３  第１送信部
１４  第１受信部
１５  運転ＬＥＤ
１７  第１ＬＥＤ
１８  第２ＬＥＤ
２１  操作ボタン群
２２  第２制御装置
２３  第２送信部
２４  第２受信部
２５  表示部
【図１】
0006409741.tif 000002
【図２】
0006409741.tif 000003
【図３Ａ】
0006409741.tif 000004
【図３Ｂ】
0006409741.tif 000005
【図４】
0006409741.tif 000006